(57)【要約】【課題】  簡単な構造によって手元操作でスプール軸に対するスプールの自由回転と回転力野清掃との切替えが容易に且つ確実に行え、釣糸を所望の長さに繰り出し可能にし得ると共に糸絡み等の発生を防止するができる魚釣り用手動リールを提供する。【解決手段】  釣り竿側に装着する固定ディスク２の中心部に突設したスプール軸３にスプール４を回転自在に支持させてなる手動リールにおいて、固定ディスク２とスプール４との対向面のいずれか一方にリング状の弾性制動部材５を取付けると共に、スプール４の他側面側に突出しているスプール軸３の先端部に第１係止周溝６と第２係止周溝７とを設けてあり、さらに、スプール４の他側面に手元操作によってスプリング力に抗して上記第１係止周溝６と第２係止周溝７とのいずれか一方に選択的に係止させる切替えレバー８を設けて、弾性制動部材５による制動、制動解除を行うように構成している。【選択図】    図１
2011244731.tif 000002
【特許請求の範囲】
【請求項１】
元竿に装着する取付金具に固定ディスクを固着し、この固定ディスクの一側面中心部にスプール軸を突設してこのスプール軸にスプールの中心孔を回転自在に、且つ、スプール軸の長さ方向に移動可能に支持させてなる魚釣り用手動リールにおいて、上記スプール軸の先端部に第１係止周溝と第２係止周溝とをその第１係止周溝を先端側にして並設している一方、このスプール軸の先端部が突出する上記スプールの側面側に、スプリング力により上記スプール軸を横断する方向に付勢されて上記第１係止周溝と第２係止周溝とのいずれかに係脱自在に係止した切替えレバーを配設してあり、さらに、固定ディスクとスプールとの対向面のいずれか一方に、他方の面との圧接による摩擦力によってスプールの回転を制動する弾性制動部材を取付け、上記切替えレバーを第１係止周溝に係止させた時にスプールを自由回転可能とし、第２係止周溝に係止させた時に弾性制動部材によりスプールの回転を制動するように構成していることを特徴とする魚釣り用手動リール。
【請求項２】
スプール軸の先端が突出する側の上記スプールの側面中央部に中心孔を被覆した蓋部材を取付け、この蓋部材内に切替えレバーを設けて該切替えレバーの基端部を蓋部材の天壁部の内面外周部に回動自在に枢着すると共に蓋部材内に装着しているスプリング力によって切替えレバーを第１、第２係止周溝に係止させる方向に常時付勢してあり、さらに、切替えレバーの先端部を蓋部材の周壁部の一部に開設している開口部に周方向に移動可能に挿通して外部に突出させ、その突出端部を操作突片に形成していることを特徴とする請求項１に記載の魚釣り用手動リール。
【請求項３】
スプール軸の先端が突出する側の上記スプールの側面中央部に中心孔を被覆した蓋部材を取付け、この蓋部材内に、上記スプール軸の先端部を挿通させている係止孔を有する切替えレバーをスプール軸に対して直角方向に進退自在に配設していると共に、蓋部材内に装着しているスプリング力によってこの切替えレバーを上記中心孔が第１、第２係止周溝のいずれかに係止するように常時付勢してあり、さらに、切替えレバーの先端部を蓋部材の周壁部の一部に開設している開口部から外部に突出させ、その突出端部を操作突片に形成していることを特徴とする請求項１に記載の魚釣り用手動リール。
【請求項４】
スプール軸の先端面を中心から外周面に向かって凸円弧状に緩傾斜した傾斜先端面に形成していると共に、第２係止周溝の溝底面を第１係止周溝の開口縁からスプール軸の基端側に向かって徐々に小径となる傾斜溝底面に形成していることを特徴とする請求項１、請求項２又は請求項３に記載の魚釣り用手動リール。
【請求項５】
固定ディスクに対向するスプールの側面に固定ディスクの収納凹部を設けていることを特徴とする請求項１に記載の魚釣り用手動リール。
【請求項６】
弾性制動部材は軟質合成樹脂又はゴムからなるリングであることを特徴とする請求項１に記載の魚釣り用手動リール。
【発明の詳細な説明】
【技術分野】
【０００１】
本発明は、手釣り用釣竿の元竿に装着して穂先からの釣糸の長さを所望長さに調整可能にし、且つ、巻き取りや繰り出しが円滑に行える魚釣り用手動リールに関する。
【背景技術】
【０００２】
手釣り用釣竿においては、通常、リールを装着することなく釣竿の先端に釣糸を繋着して魚釣りを行うようにしているが、そうすると釣り場の状況等の応じて釣糸の長さを調整することができず、また、釣糸が容易に弛んで絡み易くなる。
【０００３】
そのため、近年、手釣り用釣竿においても、元竿に装着して手元操作により釣糸の長さを調整したり、釣糸にドラグ力を付与して糸絡みを防止できるようにした簡易手動リールが開発されている。
【０００４】
例えば、特許文献１には、元竿に支軸を突設している取付台を取付けて固定する一方、糸巻であるスプールの両面を基端ディスクと先端ディスクとで挟んでこれらを一体的に上記支軸に回転自在に外嵌すると共に、先端ディスクから突出した支軸にナット部材を螺合してこのナット部材でスプールを先端ディスクを介して締め付けることにより基端ディスクを上記取付台上に圧着させてスプールを固定可能に構成し、さらに、上記基端ディスクの下面中央部に凹部を設けてこの凹部内にコイルスプリングを圧入し、コイルスプリングの両端を取付台と基端ディスクの凹部奥底面とに弾圧させることによってスプールに所定のドラグ力を保持させてなる手動リールが記載されている。
【先行技術文献】
【特許文献】
【０００５】
【特許文献１】特開平９−２９８９９０号公報
【発明の概要】
【発明が解決しようとする課題】
【０００６】
しかしながら、上記特許文献１に記載の手動リールによれば、スプールと一体の基端ディスクに設けている凹部と、元竿に取付ける取付台との対向面にコイルスプリングを圧入しているために、スプールには常にこのコイルスプリングとの摩擦によるドラグ力が付与されていてスプールを軽快に自由回転させることができず、従って、釣糸の繰り出しや巻き取り操作が円滑に行えないばかりでなく、スプールを回転させるとコイルスプリングに捩れが発生して短期間で破損する虞れがある。
【０００７】
また、上記特許文献１には、このようなドラグ機構以外に、元竿に自由回転可能な手動リールを装着すると共にこの手動リールの前方に釣糸のガイドとして上下一対の挟持ロールを配設し、この挟持ロールの接圧力を調整可能にして釣糸にドラグ力を付与するように構成した簡易なドラグ機構も記載されているが、このような構成では手動リールとは別に元竿にドラグ機構を設けなければならず、構造が複雑化してコスト高になると共にその取付作業に手間を要するといった問題点がある。さらに、スプールから引き出された釣糸にドラグ力を付与することができてもスプール自体は自由回転するので、スプールとこのドラグ機構に至るまでの釣糸部分に弛みが発生し、糸絡みが生じるといった問題点がある。  
【０００８】
本発明はこのような問題点に鑑みてなされたもので、その目的とするところは、構造が簡単で安価に提供できるのは勿論、簡単な構造によって手元操作によりスプールの自由回転と回転力の制動との切り替えが容易に且つ確実に行え、糸絡みの発生も防止することができる魚釣り用手動リールを提供するにある。
【課題を解決するための手段】
【０００９】
上記目的を達成するために、本発明の魚釣り用手動リールは、請求項１に記載したように、元竿に装着する取付金具に固定ディスクを固着し、この固定ディスクの一側面中心部にスプール軸を突設してこのスプール軸にスプールの中心孔を回転自在に、且つ、スプール軸の長さ方向に移動可能に支持させてなる魚釣り用手動リールにおいて、上記スプール軸の先端部に第１係止周溝と第２係止周溝とをその第１係止周溝を先端側にして並設している一方、このスプール軸の先端部が突出する上記スプールの側面側に、スプリング力により上記スプール軸を横断する方向に付勢されて上記第１係止周溝と第２係止周溝とのいずれかに係脱自在に係止した切替えレバーを配設してあり、さらに、固定ディスクとスプールとの対向面のいずれか一方に、他方の面との圧接による摩擦力によってスプールの回転を制動する弾性制動部材を取付け、上記切替えレバーを第１係止周溝に係止させた時にスプールを自由回転可能とし、第２係止周溝に係止させた時に弾性制動部材によりスプールの回転を制動するように構成している。
【００１０】
このように構成した魚釣り用手動リールにおいて、請求項２に係る発明は、スプール軸の先端が突出する側の上記スプールの側面中央部に中心孔を被覆した蓋部材を取付け、この蓋部材内に切替えレバーを設けて該切替えレバーの基端部を蓋部材の天壁部の内面外周部に回動自在に枢着すると共に蓋部材内に装着しているスプリング力によって切替えレバーを第１、第２係止周溝に係止させる方向に常時付勢してあり、さらに、切替えレバーの先端部を蓋部材の周壁部の一部に開設している開口部に周方向に移動可能に挿通して外部に突出させ、その突出端部を操作突片に形成していることを特徴とする。
【００１１】
また、請求項３に係る発明は、スプール軸の先端が突出する側の上記スプールの側面中央部に中心孔を被覆した蓋部材を取付け、この蓋部材内に、上記スプール軸の先端部を挿通させている係止孔を有する切替えレバーをスプール軸に対して直角方向に進退自在に配設していると共に、蓋部材内に装着しているスプリング力によってこの切替えレバーを上記係止孔が第１、第２係止周溝のいずれかに係止するように常時付勢してあり、さらに、切替えレバーの先端部を蓋部材の周壁部の一部に開設している開口部から外部に突出させ、その突出端部を操作突片に形成していることを特徴とする。
【００１２】
請求項４に係る発明は、スプール軸の先端面を中心から外周面に向かって凸円弧状に緩傾斜した傾斜先端面に形成していると共に、第２係止周溝の溝底面を第１係止周溝の開口縁からスプール軸の基端側に向かって徐々に小径となる傾斜溝底面に形成していることを特徴とする。
【００１３】
さらに、請求項５に係る発明は、固定ディスクに対向するスプールの側面に固定ディスクの収納凹部を設けていることを特徴とする。
【００１４】
また、請求項６に係る発明は、弾性制動部材は軟質合成樹脂又はゴムからなるリングであることを特徴とする。
【発明の効果】
【００１５】
請求項１に係る発明によれば、スプールを回転自在に支持しているスプール軸の先端部に第１係止周溝と第２係止周溝とを設けている一方、このスプール軸の先端部を突出させている上記スプールの側面側に、スプリング力により上記スプール軸を横断する方向に付勢されて上記第１係止周溝と第２係止周溝とのいずれかに係脱自在に係止した切替えレバーを回動自在に配設してあり、さらに、固定ディスクとスプールとの対向面のいずれか一方に、他方の面との圧接による摩擦力によってスプールの回転を制動する弾性制動部材を取付けているので、切替えレバーを指先で操作して上記第１係止周溝と第２係止周溝とのいずれかに容易に且つ確実に選択的に係止させることができると共に、切替えレバーを第１係止周溝に係止させることによって固定ディスクとスプールとの対向面間に一定の隙間を設けた状態に保持することができ、従って、スプールを円滑に自由回転させて釣糸の繰り出しや巻き取り操作が迅速に行うことができる。
【００１６】
また、切替えレバーを第１係止周溝から離脱させると、スプール軸に対してスプールがその軸心方向に移動可能となり、切替えレバーを第２係止周溝の位置に素早く対向させて係止させることができる。そして、切替えレバーを第２係止周溝に係止させると、固定ディスクとスプールとの対向面を弾性制動部材を介して圧接させることができ、この弾性制動部材の摩擦によってドラグ力を発生させることができ、このドラグ力によってスプールの回転を制動して、釣糸が風圧や水の流れ等によってスプールから不測に繰り出されるのを阻止しながら魚釣り行うことができると共に、手元においてスプールを制動力に抗して回転させることによって釣糸の長さを所望の長さに自由に調整することができ、その長さに保持することができる。その上、魚釣り時にはドラグ力を発揮させて釣糸を緊張状態に保持することができ、絡み等を防止することができる。
【００１７】
さらに、請求項２に係る発明によれば、スプール軸の先端が突出する側の上記スプールの側面中央部に中心孔を被覆した蓋部材を取付け、この蓋部材内に切替えレバーを設けて該切替えレバーの基端部を蓋部材の天壁部の内面外周部に回動自在に枢着すると共に蓋部材内に装着しているスプリング力によって切替えレバーを第１、第２係止周溝に係止させる方向に常時付勢しているので、切替えレバーや第１、第２係止周溝を蓋部材によって被覆しているから、外部からの衝撃等による不測の損傷等や塵埃等の侵入を防止して常に軽快な動作を可能にすることができ、また、切替えレバーの先端部を蓋部材の周壁部の一部に開設している開口部から外部に突出させてその突出端部を操作突片に形成しているので、スプールを把持しながらその指先を切替えレバーの操作突片に係止させて切替えレバーの切替え操作を簡単且つ素早く行うことができる。
【００１８】
同様に、請求項３に係る発明によれば、蓋部材内に切替えレバーを回動自在に設けることなくスプール軸に対して直角方向に進退自在に配設しているので、上記請求項２に係る発明と同じく、スプールを把持しながらその指先を切替えレバーの操作突片に係止させて上記第１、第２係止周溝に対する選択的な切り替え操作が簡単且つ確実に行うことができる等の作用効果を奏する。
【００１９】
また、請求項４に係る発明によれば、スプール軸の先端面を中心から外周面に向かって凸円弧状に緩傾斜した傾斜先端面に形成しているので、固定ディスクから突設しているスプール軸をスプールの中心孔に挿入してその先端部を蓋部材内に突出させた時に、このスプール軸の傾斜先端面によって切替えレバーをスプリング力に抗して後退させながら傾斜先端面に後続して形成されている上記第１係止周溝に自動的に係止させることができ、魚釣り用手動リールを簡単且つ正確に組み立てることができる。その上、第２係止周溝の溝底面を第１係止周溝の開口縁からスプール軸の基端側に向かって徐々に小径となる傾斜溝底面に形成しているので、この傾斜溝底面上に切替えレバーが係止すると、スプリングの力によって傾斜溝底面上に押付けている切替えレバーの押圧力が傾斜溝底面を介してスプール軸をさらに引き寄せる方向に作用して弾性制動部材を介しての固定ディスクとスプールとの摩擦力を常に所定圧に保持しておくことができ、所定のドラグ力を発揮させることができる。
【００２０】
請求項５に係る発明によれば、固定ディスクに対向するスプールの側面に固定ディスクの収納凹部を設けているので、固定ディスクとスプールとの対向面間の隙間を外部に対して隠蔽した構造となり、釣糸がその隙間に食い込むのをなくすることができると共に体裁のよい外観を呈する手動リールを提供することができる。なお、上記弾性制動部材としては、請求項６に記載したように、軟質合成樹脂又はゴムからなるリングを採用することによって簡単なドラグ機構を構成することができると共に、固定ディスクとスプールとの対向面をこの制動リングを介して均一に圧着させて円滑な制動を可能にすることができる。
【図面の簡単な説明】
【００２１】
【図１】スプールの回転の制動を解いた状態の魚釣り用手動リールの縦断正面図。
【図２】その要部の拡大縦断正面図。
【図３】その際の切替えレバーの位置を示す蓋部材の縦断側面図。
【図４】スプールの回転を制動している状態の魚釣り用手動リールの縦断正面図。
【図５】その要部の拡大縦断正面図。
【図６】その際の切替えレバーの位置を示す蓋部材の縦断側面図。
【図７】魚釣り用手動リールの斜視図。
【図８】その分解斜視図。
【図９】切替えレバーの切替え操作を説明するための斜視図。
【図１０】本発明の別な実施例を示すスプールの回転の制動を解いた状態の魚釣り用手動リールの縦断正面図。
【図１１】その際の切替えレバーの位置を示す蓋部材の縦断側面図。
【図１２】スプールの回転を制動している状態の魚釣り用手動リールの縦断正面図。
【図１３】その際の切替えレバーの位置を示す蓋部材の縦断側面図。
【図１４】魚釣り用手動リール全体の斜視図。
【図１５】蓋部材と切替えレバーとスプール軸との関係を示す斜視図。
【発明を実施するための形態】
【００２２】
本発明の具体的な実施の形態を図面に基づいて説明すると、魚釣り用手動リールは、釣竿の元竿Ａに装着する取付金具１と、この取付金具１における元竿Ａの長さ方向に対して直角方向に突設している支持板片1aにその一側面を一体に固着している円板形状の固定ディスク２と、この固定ディスク２の他側面の中心部に片持ち状に突設している断面円形のスプール軸３と、スプール軸３に回転自在に支持された円環形状のスプール４とを備えていると共に、上記固定ディスク２の他側面にスプール軸３を中心にしてこのスプール軸３を囲むように一定径を有するゴム等の弾性リングからなる弾性制動部材５を固着してあり、スプール４をスプール軸３の軸心方向に移動させて固定ディスク２の他側面から突出している上記弾性制動部材５の突出端面にスプール４の一側面を圧接させることにより、スプール４の回転を制動し、その圧接を解除することによりスプール４に対する制動を解いて自由に回転できるように構成している。
【００２３】
さらに、スプール軸３の先端部において、スプール４の制動解除に対応した部分とスプール４の制動に対応した部分とにそれぞれ第１係止周溝６と第２係止周溝７とを並列状態に設けている一方、スプール４に、上記第１、第２係止周溝６、７に係脱自在に係止してスプール４を制動解除位置と制動位置とに保持するための切替えレバー８を設けている。  
【００２４】
上記取付金具１は図７、図８に示すように、元竿Ａの外周面に沿って幅方向に円弧状に湾曲した一定長さを有する長方形状の金属板片からなり、その長さ方向の前後両端部を図７に示すように元竿Ａに取付けている前後固定用リング部材B1、B2により着脱自在に固定されると共に、この取付金具１の一側端における長さ方向の中央部から下方に向かって一定高さを有する上記支持板片1aを直角に屈曲させて元竿Ａの長さ方向に対して取付金具１から直角方向に突設している。
【００２５】
この取付金具１の下方の空間部に面している支持板片1aの平坦な面に上記固定ディスク２の背面である一側面を当てがってビス等により支持板片1aにこの固定ディスク２を一体に固着している。固定ディスク２は、木製又は硬質合成樹脂製或いはアルミ等の軽金属製であって、上記スプール４よりも小径で一定厚みを有する円板形状に形成されてあり、その他側面における中心部にスプール４の厚みに略等しい長さを有するアルミ等の金属製の上記スプール軸３の基端を固着させている。
【００２６】
スプール４は固定ディスク２と同じ材料からなり、その外周面に釣糸Ｃを巻装させる断面Ｕ字状の溝4aを形成していると共に、固定ディスク２の他側面と対向する一側面に固定ディスク２を遊嵌状態に収納可能な大きさと深さを有する円形状の収納凹部９を設けてあり、さらに、スプール４の中心部にスプール４の両側面間に亘って貫通した中心孔10を設け、この中心孔10に上記スプール軸３を挿脱可能に挿通してスプール４をこのスプール軸３回りに回転可能に支持させている。中心孔10は、スプール４の中心部に中心孔10よりも大径の孔11を設けてこの大径孔11に円筒形状のブッシュ11a を介してベアリング12を挿嵌することにより、このベアリング12のインナーレースの内周面で囲まれた孔によって形成されている。
【００２７】
スプール軸３の先端面は中心から外周面に向かって凸円弧状に緩傾斜した傾斜先端面3aに形成していると共に、この傾斜先端面3aの外周端からスプール軸３の中心部に向かって断面Ｕ字状の一定深さの上記第１係止周溝６を形成してあり、さらに、スプール軸３の傾斜先端面3aからこの第１係止周溝６の溝幅間隔を存してスプール軸３の先端部に上記第２係止周溝７を設けることにより、第１係止周溝６と第２係止周溝７とをスプール軸３の先端部においてスプール軸３の先端側から基端側に向かって間隔を存することなく連続するように形成されている。
【００２８】
また、第２係止周溝７の断面形状は、第１係止周溝６のように一定幅を有する溝底の両端から一定高さの溝壁面を設けた断面Ｕ字状ではなく、その一定幅を有する溝底面を第１係止周溝６におけるスプール軸３の基端側の垂直な溝壁面6aの外周端からスプール軸３の中心に向かって傾斜させた截頭円錐形状の傾斜溝底面7aに形成してあり、この傾斜溝底面7aの下傾端からスプール軸３の外周面に向かって垂直な溝壁面7bを形成した断面レ字状の周溝に形成されている。なお、この傾斜溝底面7aの溝幅は、切替えレバー８の厚みの倍以上に形成されている。
【００２９】
一方、スプール４の他側面の中心部に、上記スプール軸３を挿嵌させている中心孔10の開口端を被覆した硬質合成樹脂製又は金属製の蓋部材13をビス14によって取付けている。この蓋部材13は天壁部13a の外周端に一定高さの周壁部13b を一体に設けてなり、その中空内部に上記第１、第２係止周溝６、７に係脱自在に係止してスプール４を制動解除位置と制動位置とに保持するための切替えレバー８を設けている。切替えレバー８は細幅で薄肉の棒状金属片からなり、その長さ方向の中央部を平面く字状に屈曲させていると共に基端部を蓋部材13の天壁部13a の内面外周部に平面方向に回動自在に枢着されてあり、この切替えレバー８の先端部を蓋部材13の周壁部13b に開設している開口部15を通じて外部に突出させてその突出端部を操作片部8aに形成している。
【００３０】
さらに、蓋部材13の天壁部13a の下面外周部に支持ピン16を突設してこの支持ピン16に平面Ｕ字状のスプリング17の屈曲部を支持させていると共に、このスプリング17の一方の杆部17a を蓋部材13の周壁部13b の内面に圧着させ、他方の杆部16b を上記切替えレバー８のく字状に屈曲した部分に圧着させてあり、このスプリング17の圧力によって切替えレバー８をスプール軸３を横断する方向、即ち、スプール４の中心孔10から突出しているスプール軸３の先端部外周面に向かって回動する方向に押圧して、上記第１係止周溝６と第２係止周溝７とのいずれかに選択的に係止させている。
【００３１】
なお、スプール４の中心孔10からスプール軸３を抜き取った場合には、切替えレバー８はスプリング17の力によって中心孔10を横断する方向に移動しようとするが、切替えレバー８の先端部は蓋部材13の上記開口部15の内端面に受止されて必要以上に回動するのを阻止され、中心孔10の中心に対してスプリング17側に偏位した位置でスプリング17により中心孔10の中心方向に向かって付勢された状態を維持している。
【００３２】
また、スプール軸３をスプール４の中心孔10に挿入してその先端部を中心孔10から蓋部材13内に突出させ、その先端部に設けている上記第１係止周溝６を切替えレバー８に係止させた状態においては、スプール４の一側面に設けている上記収納凹部９に嵌入した固定ディスク２の他側面に装着している上記弾性制動部材５はスプール４の一側面に当接することなく僅かな隙間を存した状態でスプール４の一側面に対向させてあり、この状態から切替えレバー８を一旦、第１係止周溝６からの係止を解き、固定ディスク２をさらにスプール４の一側面に向かって押し進めて弾性制動部材５をスプール４の一側面に押接させた状態にすると、スプール軸３の先端部がその先端部に設けている上記第２係止周溝７が切替えレバー８との係合位置に達するように構成している。なお、図中、18はスプール４の他側面外周部に設けた操作ハンドルである。
【００３３】
このように構成したので、取付金具１の支持板片1aに固着している固定ディスク２とスプール４とを組み合わせて魚釣り用手動リールを組み立てる場合、固定ディスク２の中心部から突設しているスプール軸３をスプール４の中心孔10に挿入すると、スプール軸３の傾斜先端面3aがスプール４の他側面において中心孔10を被覆している蓋部材13内に突出する際に、中心孔10の開口端に臨ませている切替えレバー８に突き当たる。
【００３４】
この時、スプール軸３の先端面が傾斜先端面3aに形成されている一方、切替えレバー８は中心孔10の中心に対してこの切替えレバー８の背面を押圧しているスプリング17側に偏位した位置に保持されているので、スプール軸３の先端が蓋部材13内に突入するに従って切替えレバー８がスプリング17の力に抗してスプール軸３の傾斜先端面3aを伝ってスプール軸３の外周面側に移動させられ、スプール軸３の先端部において、傾斜先端面3aに後続して形成されている第１係止周溝６が切替えレバー８の位置に達すると、切替えレバー８がスフリング16の力によって自動的に瞬時に第１係止周溝６に進入、係止し、スプール軸３にスプール４が回転自在に支持された魚釣り用手動リールを簡単且つ正確に組み立てることができる。
【００３５】
このように、スプール軸３に設けている第１係止周溝６に切替えレバー８を係止させた状態にすると、図２に示すように、スプール軸３を突設している固定ディスク２の一側面に設けた弾性制動部材５は、スプール４の対向側面に圧接することなく僅かな隙間を存して離間した位置に保持され、従って、スプール４はスプール軸３を中心として軽快に回転して釣り糸の円滑な繰り出し、巻き戻し等が可能となる。
【００３６】
また、上記切替えレバー８は、固定ディスク２と反対側のスプール４の他側面中央部に装着している蓋部材13内に配設されてあり、その先端操作片部8aを蓋部材13の周壁部13b
に設けてい開口部15から外部に突出させているので、片手でスプール４を把持しながら指先を切替えレバー８の操作片部8aに押し当てて該切替えレバー８の回動操作を簡単且つ円滑に行うことができる。
【００３７】
そして、切替えレバー８をスプリング17の力に抗して回動操作して上記第１係止周溝６から離脱させることにより第１係止周溝６に対する切替えレバー８の係止を解くと、スプール４はスプール軸３の長さ方向に移動可能となり、この状態にして固定ディスク２とスプール４との対向側面を互いに押し付け合う方向に相対移動させて固定ディスク２の一側面に設けている弾性制動部材５をスプール４の対向側面に押し付けると、スプール軸３の先端部に上記第１係止周溝６に後続して設けている第２係止周溝７が切替えレバー８の位置に達し、切替えレバー８に対する操作力を解くことによって該切替えレバー８を第２係止周溝７に係止させる。
【００３８】
上記第１係止周溝６からの切替えレバー８の係止解除操作から第２係止周溝７に対する切替えレバー８の係止操作は、スプール４を把持しながら指先で切替えレバー８を操作することによって簡単且つ素早く行うことができ、図５に示すように切替えレバー８を第２係止周溝７に係止させると、この第２係止周溝７の溝底面を、第１係止周溝６の開口端からスプール軸３の基端方向に向かうに従って溝深くなる方向に傾斜した傾斜溝底面7aに形成しているので、この傾斜溝底面7a上に切替えレバー８が係止すると、スプリング17の力によって傾斜溝底面7a上に押付けている切替えレバー８の押圧力が傾斜溝底面7aを介してスプール軸３をさらに引き寄せる方向、即ち、固定ディスク２に取付けている弾性制動部材５をスプール４の対向側面にさらに強く押し付ける方向に作用し、弾性制動部材５とスプール４との摩擦力によってスプール４を制動して所定のドラグ力を発揮させることができる。
【００３９】
このように、固定ディスク２に取付けている弾性制動部材５をスプール４の対向側面に押接させた状態にすると、スプール４が制動されて釣糸がスプール４から不測に繰り出されるのを阻止し得るのは勿論、手元においてスプール４を制動力に抗しながら回転させることによって釣糸の長さを所望の長さに自由に調整することができると共に調整した長さに保持することができる。また、魚釣り時にはドラグ力を発揮させて釣糸を緊張状態に保持することができ、絡み等を防止することができる。
【００４０】
以上の実施例においては、スプール軸３の先端部に設けている第１、第２係止周溝７、８に選択的に係止させる切替えレバー８としては、その基端部を蓋部材13の天壁部13a の下面外周部に回動自在に枢着していると共に、その長さ方向の中間部を上記第１、第２係止周溝７、８に選択的に係止させるように構成しているが、切替えレバーを回動自在に設けることなく、蓋部材13内にその長さ方向に進退自在に設けておいてもよい。
【００４１】
図10〜図15はその実施例を示すもので、取付金具１の形状や固定ディスク２の構造、及び、この固定ディスクの他側面に取付けている弾性制動部材５や中心部に突設しているスプール軸３の形状、このスプール軸３に回転自在に支持されているスプール４の構造、蓋部材13の形状等は上記実施例と同様である。
【００４２】
スプール軸３の先端部に設けている第１、第２係止周溝７、８に選択的に係止させる切替えレバー8'は、金属板片からなる矩形状の平板部81の中央部にスプール軸３の径よりも大径の係止孔82を設けていると共に平板部81の先端部を平板部81よりも小幅の突片部81'
に形成してあり、さらに、この突片部81' の先端部を直角方向に屈折させて操作片部83に形成していると共に、基端部も同じく直角に屈折させてスプリング受け部84に形成している。
【００４３】
スプール４の他側面中央部にビス14によって取付けられている蓋部材13の天壁部13a の内面にこの切替えレバー8'の平板部81に設けている上記係止孔82にスプール軸３の先端部を挿通させた状態にしてこの平板部81を長さ方向に摺動自在に収納させている矩形状の凹部13c を設けていると共に、周壁部13b の一部に、平板部81の突片部81' を蓋部材13から外部に突出させ、且つ、その内周面を平板部81と突片部81' との連設部に形成しているＬ字状の段部を受止する受止部15a に形成している一定幅を有する開口部15' を設けあり、さらに、この開口部15' と直径方向に対向して上記凹部13c に連通したスプリング収納凹部13d を設け、このスプリング収納凹部13d にコイルスプリング17' を配し、その長さ方向の両端を収納凹部13d の底面と切替えレバー8'の上記スプリング受け部84とに圧接してこのコイルスプリング17' の力より切替えレバー8'をその係止孔82が第１、第２係止周溝６、７のいずれかに選択的に係止するように常時付勢している。その他の構成については上記実施例と同様であるので、同一部分には同一符号を付して詳細な説明を省略する。
【００４４】
このように構成したので、取付金具１の支持板片1aに固着している固定ディスク２とスプール４とを組み合わせて魚釣り用手動リールを組み立てる場合、固定ディスク２の中心部から突設しているスプール軸３をスプール４の中心孔10を通じて蓋部材13内に設けている切替えレバー8'の係止孔82に挿通しようとすると、そのスプール軸３の傾斜先端面3aが係止孔82の周縁部に押圧してその傾斜面で切替えレバー8'を後退させながら係止孔82に挿通し、傾斜先端面3aに後続して形成されている第１係止周溝６が切替えレバー8'の位置に達してこの切替えレバー8'がコイルスプリング17' の力によって自動的に瞬時にその係止孔82を第１係止周溝６に進入、係止させ、スプール軸３にスプール４が回転自在に支持された魚釣り用手動リールを簡単且つ正確に組み立てることができる。
【００４５】
このように、スプール軸３に設けている第１係止周溝６に切替えレバー8'を係止させた状態にすると、図10に示すように、スプール軸３を突設している固定ディスク２の一側面に設けた弾性制動部材５は、スプール４の対向側面に圧接することなく僅かな隙間を存して離間した位置に保持され、従って、スプール４はスプール軸３を中心として軽快に回転して釣り糸の円滑な繰り出し、巻き戻し等が可能となる。
【００４６】
そして、片手でスプール４を把持しながらその指先で切替えレバー8'の先端操作片部83を押圧して切替えレバー8'をコイルスプリング17' の力に抗してその突片部81' が蓋部材13内に没入する方向に後退させると、切替えレバー8'の係止孔82が上記第１係止周溝６から離脱し、この状態にしてスプール４をスプール軸３に沿って固定ディスク２側に相対的に移動させ固定ディスク２の一側面に設けている弾性制動部材５をスプール４の対向側面に押し付けると、スプール軸３の先端部に上記第１係止周溝６に後続して設けている第２係止周溝７が切替えレバー8'の係止孔82の位置に達し、この状態にして切替えレバー８に対する押圧力を解くと、切替えレバー8'の係止孔82が第２係止周溝７に係止する（図12、図13参照）。
【００４７】
このように切替えレバー8'の係止孔82を第２係止周溝７に係止させると、この第２係止周溝７の溝底面が上述したように、第１係止周溝６の開口端からスプール軸３の基端方向に向かうに従って溝深くなる方向に傾斜した傾斜溝底面7aに形成しているので、この傾斜溝底面7a上に係止した切替えレバー８がコイルスプリング17' の力によってスプール軸３をさらに引き寄せる方向、即ち、固定ディスク２に取付けている弾性制動部材５をスプール４の対向側面にさらに強く押し付ける方向に作用し、弾性制動部材５とスプール４との摩擦力によってスプール４を制動して所定のドラグ力を発揮させることができる。
【００４８】
このように、固定ディスク２に取付けている弾性制動部材５をスプール４の対向側面に押接させた状態にすると、スプール４が制動されて釣糸がスプール４から不測に繰り出されるのを阻止し得るのは勿論、手元においてスプール４を制動力に抗しながら回転させることによって釣糸の長さを所望の長さに自由に調整することができると共に調整した長さに保持することができる。また、魚釣り時にはドラグ力を発揮させて釣糸を緊張状態に保持することができ、絡み等を防止することができる。
【００４９】
なお、以上の実施例においては、いずれも弾性制動部材５を固定ディスク２側に取付けているが、固定ディスク２に取付けることなくこの固定ディスク２に対向するスプール４の側面に取付けておいてもよく、さらには固定ディスク２とスプール４との対向面の両方に取付けておいてもよい。また、弾性制動部材５はリング状に限らず、板状その他の適宜な形状に形成しておいてもよい。
【符号の説明】
【００５０】
１  取付金具
２  固定ディスク
３  スプール軸
４  スプール
５  弾性制動部材
６  第１係止周溝
７  第２係止周溝
８  切替えレバー
９  収納凹部
10  中心孔
13  蓋部材
15  開口部
17  スプリング
【図１】
2011244731.tif 000003
【図２】
2011244731.tif 000004
【図３】
2011244731.tif 000005
【図４】
2011244731.tif 000006
【図５】
2011244731.tif 000007
【図６】
2011244731.tif 000008
【図７】
2011244731.tif 000009
【図８】
2011244731.tif 000010
【図９】
2011244731.tif 000011
【図１０】
2011244731.tif 000012
【図１１】
2011244731.tif 000013
【図１２】
2011244731.tif 000014
【図１３】
2011244731.tif 000015
【図１４】
2011244731.tif 000016
【図１５】
2011244731.tif 000017